(57)【要約】【課題】  防犯検知装置の施工バラツキ等による光軸ズレに対して受信性能を確保すると共に、太陽光の外乱光に対して容易に誤失報しない防犯検知装置の提供。【解決手段】  ユニット本体内４に、投光用レンズ２１及び赤外線を発光する発光素子１２を有する投光部２と、受光用レンズ３１及び受光素子１３を有する受光部３と、を背中合わせに備えて成り、住宅等の建物の周囲に設けられた外溝等に複数連設され、隣接する一方の防犯検知装置１の投光部２から投光された赤外線を他方の防犯検知装置１の受光部３で受光する際に侵入者により赤外線が遮られたときにこれを検知して報知を行なう防犯検知装置１において、受光用レンズ２１の略中央部には直線軌道で入射する赤外線を集光する狭指向レンズ部３２ａ、この周囲には受光部３が傾いた場合に集光性能を高める広角集光レンズ部３３ｂを配置して成る。【選択図】図２
2006146453.tif 000002
【特許請求の範囲】
【請求項１】
ユニット本体内に、投光用レンズ及び赤外線を発光する発光素子を有する投光部と、受光用レンズ及び受光素子を有する受光部と、を背中合わせに備えて成り、住宅等の建物の周囲に設けられた外溝等に複数連設される防犯検知装置であって、
隣接する一方の防犯検知装置の投光部から投光された赤外線を他方の防犯検知装置の受光部で受光する際に侵入者により赤外線が遮られたときにこれを検知して報知を行なう防犯検知装置において、
前記受光用レンズの略中央部には直線軌道で入射する赤外線を集光する狭指向レンズ部、同狭指向レンズ部の周囲には受光部が傾いた場合に集光性能を高める広角集光レンズ部を配置して成る防犯検知装置。
【請求項２】
前記受光レンズの上方部には太陽光を回避するための屈折率の異なる太陽光回避レンズ部を設けて成る請求項１記載の防犯検知装置。
【発明の詳細な説明】
【技術分野】
【０００１】
本発明は、住宅等の建物の周囲に設けられた外溝等に複数連設して、侵入者を検知する為に有用な、投受光一体型の防犯検知装置に関するものである。
【背景技術】
【０００２】
従来から、外溝フェンス等に取付けて侵入者を検知する手段として、赤外線を用いた防犯検知装置が知られている。この防犯検知装置１０１は、住宅等の建物の周囲に設けられた外溝フェンスに連設され、隣接する一方の防犯検知装置の投光部１５１と他方の防犯検知装置の受光部１５２との間で赤外線の投受光を行わせることで、赤外線が遮られた場合には侵入者の存在を検知して報知や威嚇を行うことが可能なものである。
【０００３】
しかしながら、上述した防犯検知装置では、投光部１５１と受光部１５２との光軸を合わせる必要があるが、光軸を厳格に合わせることは困難であり、施工バラツキ等の傾きを考慮すると投光部１５１、受光部１５２共に赤外線を投光、受光するレンズの広角指向型の性能が高いことが望ましい。しかし、投光部１５１は、赤外線の照射角度を広くすることで角度のバラツキに対応可能であるが、受光部１５２は広角での集光が課題となり、また、広角集光した場合は太陽光の外乱の影響を受けやすくなる。
【０００４】
また、防犯検知装置に使用される赤外線を用いた侵入者等を検知するものとして、特開平９−１４５４８０号公報に記載されているマルチビーム型熱線検知器がある。この防犯検知装置２０１は、それぞれに極性を有した複数の熱線検知エレメントを各々の光軸をズラせた複数の集光面２１１、２１２，…を有したマルチレンズ２０２で投影し、形成した複数の検知エリアＥを、同一極性の検知エリアＥ同士が周期的に重合されるように配列して監視空間Ａを構成し、その監視空間Ａ内への人体などの監視対象の侵入と、退出を検出するものである。
【０００５】
しかし、上述したマルチビーム型熱線検知器は、侵入者等の人体から発生する赤外線を前記熱線検知エレメントが感知するものである。
【特許文献１】特開平９−１４５４８０号公報
【発明の開示】
【発明が解決しようとする課題】
【０００６】
本願発明は、上記背景技術に鑑みて発明されたものであり、その課題は、防犯検知装置の施工バラツキ等による光軸ズレに対して受信性能を確保すると共に、太陽光の外乱光に対して容易に誤失報しない防犯検知装置を提供することである。
【課題を解決するための手段】
【０００７】
上記課題を解決するために、本願発明は、ユニット本体内に、投光用レンズ及び赤外線を発光する発光素子を有する投光部と、受光用レンズ及び受光素子を有する受光部と、を背中合わせに備えて成り、住宅等の建物の周囲に設けられた外溝に複数連設される防犯検知装置であって、隣接する一方の防犯検知装置の投光部から投光された赤外線を他方の防犯検知装置の受光部で受光する際に侵入者により赤外線が遮られたときにこれを検知して報知を行なう防犯検知装置において、前記受光用レンズの略中央部には直線軌道で入射する赤外線を集光する狭指向レンズ、同狭指向レンズの周囲には受光部が傾いた場合に集光性能を高める広指向レンズを配置して成る。
【０００８】
また、前記受光レンズの上方部には太陽光を回避するための屈折率の異なる太陽光回避レンズを設けて成るものが好ましい。
【発明の効果】
【０００９】
本願発明の防犯検知装置によれば、前記受光用レンズの略中央部には直線軌道で入射する赤外線を集光する狭指向レンズ部、同狭指向レンズ部の周囲には受光部が傾いた場合に集光性能を高める広角集光レンズ部を配置しているので、光軸バラツキに対する投光、受光性能が向上するため、施工時の光軸調整が容易になり施工性が向上する。
【００１０】
また、受光レンズの上方部には太陽光を回避するための屈折率の異なる太陽光回避レンズ部を設けているので、太陽光を受光素子より離れた位置に集光できるため、外乱光による誤報が軽減する。
【発明を実施するための最良の形態】
【００１１】
本願の一実施形態の防犯検知装置１を図１から図４に基づいて説明する。図１は一実施形態に係る防犯検知装置の概略断面図、図２は同上の広角受光レンズの拡大斜視図、図３は同上の別の広角受光レンズの拡大斜視図、図４はレンズ集光特性の特性概要図である。
【００１２】
防犯検知装置１は、例えば、その外殻を成すユニット本体４内に投光部２を上下二段に設け、各投光部２と背中合わせの位置に受光部３を同じく上下二段に設けた、所謂ダブルビーム方式の送受信一体型構造のものである。上記ユニット本体４は、投光部２側を保持する投光側ボディ５と、受光部３側を保持する受光側ボディ６により形成されており、ユニット本体４内には、上下に伸びた長板状の一枚の基板７を投光側ボディ５と受光側ボディ６に挟持される状態で内蔵させている。上記基板７の中央部分には固定穴８を穿設してあり、投光側ボディ５と受光側ボディ６には、互いに逆側から基板７の固定穴８部分と接触するように、投光側固定ボス９と受光側固定ボス１０とを夫々突設している。上記投光側固定ボス９はその先端及び基端側が貫通した筒状を成すものであり、上記受光側固定ボス１０はその先端側のみが貫通した筒状を成すものである。そして、投光側ボディ５に開口させてあるビス挿入口１１を介して外側から投光側固定ボス９内に固定ビス（図示せず）を挿入し、この固定ビスの先端を基板７の固定穴８を介して受光側固定ボス１０内に挿入してねじ固定することで、基板７を投光側ボディ５及び受光側ボディ６にねじ固定させている。
【００１３】
上記基板７は、投光側ボディ５と対向する片面側に発光素子１２を装着させるとともに、受光側ボディ６と対向する反対面側に受光素子１３を装着させるものであり、投光側ボディ５には発光素子１２の正面に位置するように投光用レンズ２１を配し、受光側ボディ６には受光素子１３の正面に位置するように受光用レンズ３１を配している。
【００１４】
受光用レンズ３１は、図２に示すように、受光用レンズ３１の中心部には直線的に入射する赤外線を受光素子１３へ集光させる狭指向レンズ部３１ａ、その周りには受光部３に傾きが生じている場合に狭指向レンズ部３１ａの集光性能を補完する広角集光レンズ部３１ｂが配置されている。
【００１５】
広角集光レンズ部３１ｂは、図２に示すように、狭指向レンズ部３１ａの周囲に個別に複数配置する。
【００１６】
なお、図３に示すように、異なる屈折特性を有するレンズを外周に設けても良い。
【００１７】
なお、図４に示すように、広角集光レンズ部３１ｂの屈折特性は、光軸のズレにより狭指向レンズ部３１ａの集光特性がおちてくる状態にて最も集光特性が良い状態に設定されている。すなわち、狭指向レンズ部３１ａの集光性能の低下を広角集光レンズ部３１ｂが補うようになっている。
【００１８】
レンズ仕様により、受光用レンズ３１を広角集光レンズとすれば外乱光の影響を受け易くなる。特に、太陽光１４の影響が最も大きく、太陽光が受光素子１３に集光されると素子が飽和し、誤報の原因となる。そこで、太陽光が集光される部位、この場合は、図２に示すレンズ上方部に太陽光回避レンズ部３１ｃを設け、この太陽光回避レンズ部３１ｃ屈折率を変えることで、図５に示すように、投光信号１５が、受光素子１３に集光され、太陽光１４を受光素子１３より離れた位置に集光させることができる。
【００１９】
すなわち、太陽光回避部３１ｃは他部位のレンズ部３１ａ、３１ｂに対し、屈折率の大きい（焦点距離の短い）レンズ仕様とする。但し、極端に屈折率を大きくすると正規の投光信号に対して全く効果がなくなるため、太陽光により飽和しない程度の屈折率に設定する。
【００２０】
このように構成された防犯検知装置１は、受光用レンズ３１の略中央部には直線軌道で入射する赤外線を集光する狭指向レンズ部３１ａ、狭指向レンズ３１ａの周囲には受光部３が傾いた場合に集光性能を高める広角集光レンズ部３１ｂを配置している。
【００２１】
従って、光軸バラツキに対する投光、受光性能が向上するため、施工時の光軸調整が容易になり施工性が向上する。
【００２２】
また、受光レンズの上方部には太陽光を回避するための屈折率の異なるレンズを設けているので、太陽光を受光素子より離れた位置に集光できるため、外乱光による誤報が軽減する。
【図面の簡単な説明】
【００２３】
【図１】本発明の一実施形態に係る防犯検知装置の概略断面図である。
【図２】同上の広角受光レンズの拡大斜視図である。
【図３】同上の別の広角受光レンズの拡大斜視図である。
【図４】レンズ集光特性の特性概要図である。
【図５】太陽光回避レンズ部の概略図である。
【図６】赤外線投光、受光方式の概略図である。
【図７】特開平９−１４５４８０号公報に記載の置き棚の斜視図である。
【符号の説明】
【００２４】
１      防犯検知装置
２      投光部
３      受光部
３１    受光用レンズ
３２ａ  狭指向レンズ部
３３ｂ  広角集光レンズ部
３１ｃ  太陽光回避レンズ部
１３    受光素子
【図１】
2006146453.tif 000003
【図２】
2006146453.tif 000004
【図３】
2006146453.tif 000005
【図４】
2006146453.tif 000006
【図５】
2006146453.tif 000007
【図６】
2006146453.tif 000008
【図７】
2006146453.tif 000009